(57)【要約】【課題】本発明は探検安全ライトを開示した。【解決手段】電源箱を含み、前記電源箱の頂端端面には上下に伸びている伝動軸が回転可能に連結され、前記伝動軸の上端にはライト座が回転可能に連結され、前記ライト座の上端端面には電球が設置され、前記伝動軸の中には上下に貫通した通しチャンバが設置され、前記通しチャンバの中には前記電球と電気的に連結されたケーブルが設置され、前記伝動軸には集光装置が設置され、本発明は構造が簡単で、操作が便利で、ベルト式の固定構造によって、屋外で使用する時の携帯に便利を与え、両手を解放して自由に活動でき、光線に対する屈折集中を通じて光源の照明距離を調節し、同時に、一定の電流内で電源を平行接続して光の強さを調節する。【選択図】図１
2020177886.tif 000002
【特許請求の範囲】
【請求項１】
探検安全ライトであって、電源箱を含み、前記電源箱の頂端端面には上下に伸びている伝動軸が回転可能に連結され、前記伝動軸の上端にはライト座が回転可能に連結され、前記ライト座の上端端面には電球が設置され、前記伝動軸の中には上下に貫通した通しチャンバが設置され、前記通しチャンバの中には前記電球と電気的に連結されたケーブルが設置され、前記伝動軸には集光装置が設置され、前記電源箱の中には前記通しチャンバと相通して連結された電力チャンバが設置され、前記電力チャンバの中には補強装置が設置され、前記電源箱の中には前記電力チャンバの下端に位置し且つ下に開口した開口溝が設置され、前記開口溝の中には固定装置が設置され、
前記固定装置を使ってライトを体に締め、前記電球によって照明し、光の強さを調節する時、前記補強装置をスライドし、前記電球の電流を調節し、照明距離を調節する時、前記集光装置を回し、散乱した光を集中した光にならせることを特徴とする探検安全ライト。
【請求項２】
前記集光装置は前記ライト座に設置された中心対称の四つの折返し溝を含み、前記折返し溝の中には回転軸が回転可能に連結され、前記回転軸には屈折板が設置され、前記屈折板と前記折返し溝の内壁との間にはねじりばねが連結され、前記伝動軸には前記ライト座の下端に位置するネジ山盤が設置され、前記伝動軸には前記ネジ山盤の上端に位置するレール板が回転可能に連結され、前記レール板には前記折返し溝と対応し且つ上下に貫通してスライドレールが設置され、前記スライドレールの中には支持柱がスライド可能に連結され、前記支持柱の上端には前記屈折板と当接する遊動輪が設置され、前記支持柱の下端には前記ネジ山盤とネジ山によって連結された平行移動ブロックが設置され、
前記ネジ山盤を回し、螺旋ラインの案内を通じて前記支持柱を対称中心に移動させ、前記遊動輪を通じて前記屈折板を押し動かし、散乱した光を集中することを特徴とする請求項１に記載の探検安全ライト。
【請求項３】
前記補強装置は前記電力チャンバの内壁と固定的に連結された左右に対称的な第一電極ロッドを含み、前記第一電極ロッドには前記ケーブルとの間に連結された電線が設置され、前記第一電極ロッドのうち相互に近接している側には一号電源が設置され、前記電力チャンバの内壁には左右に対称的な昇降溝が相通して設置され、前記昇降溝の中には連結ロッドがスライド可能に連結され、前記連結ロッドの上端には前記第一電極ロッドと当接した左右に対称的な第二電極ロッドが設置され、前記第二電極ロッドのうち相互に近接している側には二号電源が設置され、
前記連結ロッドを上に移動し、前記第二電極ロッドと前記第一電極ロッドとを当接させ、一組の電源を並列接続して電流を変えることを特徴とする請求項１に記載の探検安全ライト。
【請求項４】
前記固定装置は前記開口溝の上端端面に設置される掛ロッドを含み、前記掛ロッドの中にはスライド溝が設置され、前記スライド溝の中にはスライドロッドがスライド可能に連結され、前記スライドロッドの上端と前記スライド溝の上端内壁との間には抵抗撥条が連結され、前記スライドロッドの下端には当接板が設置され、前記開口溝の中には前記掛ロッドの左右端に位置する対称的な固定軸が回転可能に連結され、前記固定軸には輪が設置され、前記輪の前端と前記開口溝の前端内壁との間には復帰撥条が連結され、前記電力チャンバには前記開口溝と相通して連結される左右に対称的な線通し穴が設置され、左端の前記線通し穴の下端の外側には締付けリングが設置され、右端の前記線通し穴の下端の外側には前記締付けリングと当接したフックが設置され、前記輪と前記締付けリング及び前記フックとの間にはそれぞれ布が連結され、
前記当接板によって位置を固定し、前記布を引き動かして体に巻き付け、ユーザーが前記フックと前記締付けリングとの当接関係によって設備をユーザーの体に固定することを特徴とする請求項１に記載の探検安全ライト。
【発明の詳細な説明】
【技術分野】
【０００１】
本発明は灯具技術分野に関し、具体的には探検安全ライトである。
【背景技術】
【０００２】
キャンプは今や若者たちにおいて楽しむ方法の一つになってきた。夜の屋外は常に照明が足りなく、危険に満ちている。伝統的な灯具は照明方式が単一で、照明できる範囲も有限で足りなく、しかも手で持つ必要があり、野営地での活動に不便をもたらす。本発明の装置は上記問題を解決できる。
【先行技術文献】
【特許文献】
【０００３】
【特許文献１】中国特許出願公開第１０９４６９８４２号明細書
【発明の概要】
【発明が解決しようとする課題】
【０００４】
本発明の目的は探検安全ライトを提供し、上記背景技術に提出される問題を解決する。
【課題を解決するための手段】
【０００５】
本発明の探検安全ライトは、電源箱を含み、前記電源箱の頂端端面には上下に伸びている伝動軸が回転可能に連結され、前記伝動軸の上端にはライト座が回転可能に連結され、前記ライト座の上端端面には電球が設置され、前記伝動軸の中には上下に貫通した通しチャンバが設置され、前記通しチャンバの中には前記電球と電気的に連結されたケーブルが設置され、前記伝動軸には集光装置が設置され、前記電源箱の中には前記通しチャンバと相通して連結された電力チャンバが設置され、前記電力チャンバの中には補強装置が設置され、前記電源箱の中には前記電力チャンバの下端に位置し且つ下に開口した開口溝が設置され、前記開口溝の中には固定装置が設置され、
前記固定装置を使ってライトを体に締め、前記電球によって照明し、光の強さを調節する時、前記補強装置をスライドし、前記電球の電流を調節し、照明距離を調節する時、前記集光装置を回し、散乱した光を集中した光にならせる。
【０００６】
更なる技術方案、前記集光装置は前記ライト座に設置された中心対称の四つの折返し溝を含み、前記折返し溝の中には回転軸が回転可能に連結され、前記回転軸には屈折板が設置され、前記屈折板と前記折返し溝の内壁との間にはねじりばねが連結され、前記伝動軸には前記ライト座の下端に位置するネジ山盤が設置され、前記伝動軸には前記ネジ山盤の上端に位置するレール板が回転可能に連結され、前記レール板には前記折返し溝と対応し且つ上下に貫通してスライドレールが設置され、前記スライドレールの中には支持柱がスライド可能に連結され、前記支持柱の上端には前記屈折板と当接する遊動輪が設置され、前記支持柱の下端には前記ネジ山盤とネジ山によって連結された平行移動ブロックが設置され、
前記ネジ山盤を回し、螺旋ラインの案内を通じて前記支持柱を対称中心に移動させ、前記遊動輪を通じて前記屈折板を押し動かし、散乱した光を集中する。
【０００７】
更なる技術方案、前記補強装置は前記電力チャンバの内壁と固定的に連結された左右に対称的な第一電極ロッドを含み、前記第一電極ロッドには前記ケーブルとの間に連結された電線が設置され、前記第一電極ロッドのうち相互に近接している側には一号電源が設置され、前記電力チャンバの内壁には左右に対称的な昇降溝が相通して設置され、前記昇降溝の中には連結ロッドがスライド可能に連結され、前記連結ロッドの上端には前記第一電極ロッドと当接した左右に対称的な第二電極ロッドが設置され、前記第二電極ロッドのうち相互に近接している側には二号電源が設置され、
前記連結ロッドを上に移動し、前記第二電極ロッドと前記第一電極ロッドとを当接させ、一組の電源を並列接続して電流を変える。
【０００８】
前記固定装置は前記開口溝の上端端面に設置される掛ロッドを含み、前記掛ロッドの中にはスライド溝が設置され、前記スライド溝の中にはスライドロッドがスライド可能に連結され、前記スライドロッドの上端と前記スライド溝の上端内壁との間には抵抗撥条が連結され、前記スライドロッドの下端には当接板が設置され、前記開口溝の中には前記掛ロッドの左右端に位置する対称的な固定軸が回転可能に連結され、前記固定軸には輪が設置され、前記輪の前端と前記開口溝の前端内壁との間には復帰撥条が連結され、前記電力チャンバには前記開口溝と相通して連結される左右に対称的な線通し穴が設置され、左端の前記線通し穴の下端の外側には締付けリングが設置され、右端の前記線通し穴の下端の外側には前記締付けリングと当接したフックが設置され、前記輪と前記締付けリング及び前記フックとの間にはそれぞれ布が連結されており、
前記当接板によって位置を固定し、前記布を引き動かして体に巻き付け、ユーザーが前記フックと前記締付けリングとの当接関係によって設備をユーザーの体に固定する。
【発明の効果】
【０００９】
本発明の有益効果は：本発明は構造が簡単で、操作が便利で、ベルト式の固定構造によって、屋外で使用する時の携帯に便利を与え、両手を解放して自由に活動でき、光線に対する屈折集中を通じて光源の照明距離を調節し、同時に、一定の電流内で電源を平行接続して光の強さを調節する。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の探検安全ライトの全体構成模式図
【図２】図２は本発明の図１におけるＡ―Ａの構成図
【図３】図３は本発明の図１におけるＢ―Ｂの構成図
【図４】図４は本発明の図１におけるＣ―Ｃの構成図
【発明を実施するための形態】
【００１２】
以下に図１−４を交えて本発明について詳しく説明し、便利に叙述するため、現在は後文に出る方位を下記の通りに規定する：後文に出る上下左右前後方向は図１本体の投影関係の上下左右前後方向と一致する。
【００１３】
本発明の探検安全ライトは、電源箱１１を含み、前記電源箱１１の頂端端面には上下に伸びている伝動軸３６が回転可能に連結され、前記伝動軸３６の上端にはライト座４４が回転可能に連結され、前記ライト座４４の上端端面には電球４３が設置され、前記伝動軸３６の中には上下に貫通した通しチャンバ３５が設置され、前記通しチャンバ３５の中には前記電球４３と電気的に連結されたケーブル３７が設置され、前記伝動軸３６には集光装置９０１が設置され、前記電源箱１１の中には前記通しチャンバ３５と相通して連結された電力チャンバ１２が設置され、前記電力チャンバ１２の中には補強装置９０２が設置され、前記電源箱１１の中には前記電力チャンバ１２の下端に位置し且つ下に開口した開口溝２１が設置され、前記開口溝２１の中には固定装置９０３が設置され、
前記固定装置９０３を使ってライトを体に締め、前記電球４３によって照明し、光の強さを調節する時、前記補強装置９０２をスライドし、前記電球４３の電流を調節し、照明距離を調節する時、前記集光装置９０１を回し、散乱した光を集中した光にならせる。
【００１４】
有益的には、前記集光装置９０１は前記ライト座４４に設置された中心対称の四つの折返し溝４１を含み、前記折返し溝４１の中には回転軸４２が回転可能に連結され、前記回転軸４２には屈折板４０が設置され、前記屈折板４０と前記折返し溝４１の内壁との間にはねじりばね４５が連結され、前記伝動軸３６には前記ライト座４４の下端に位置するネジ山盤３１が設置され、前記伝動軸３６には前記ネジ山盤３１の上端に位置するレール板３４が回転可能に連結され、前記レール板３４には前記折返し溝４１と対応し且つ上下に貫通してスライドレール３３が設置され、前記スライドレール３３の中には支持柱３８がスライド可能に連結され、前記支持柱３８の上端には前記屈折板４０と当接する遊動輪３９が設置され、前記支持柱３８の下端には前記ネジ山盤３１とネジ山によって連結された平行移動ブロック３２が設置され、
前記ネジ山盤３１を回し、螺旋ラインの案内を通じて前記支持柱３８を対称中心に移動させ、前記遊動輪３９を通じて前記屈折板４０を押し動かし、散乱した光を集中する。
【００１５】
有益的には、前記補強装置９０２は前記電力チャンバ１２の内壁と固定的に連結された左右に対称的な第一電極ロッド２８を含み、前記第一電極ロッド２８には前記ケーブル３７との間に連結された電線３０が設置され、前記第一電極ロッド２８のうち相互に近接している側には一号電源２９が設置され、前記電力チャンバ１２の内壁には左右に対称的な昇降溝１３が相通して設置され、前記昇降溝１３の中には連結ロッド１４がスライド可能に連結され、前記連結ロッド１４の上端には前記第一電極ロッド２８と当接した左右に対称的な第二電極ロッド２７が設置され、前記第二電極ロッド２７のうち相互に近接している側には二号電源２６が設置され、
前記連結ロッド１４を上に移動し、前記第二電極ロッド２７と前記第一電極ロッド２８とを当接させ、一組の電源を並列接続して電流を変える。
【００１６】
有益的には、前記固定装置９０３は前記開口溝２１の上端端面に設置される掛ロッド２５を含み、前記掛ロッド２５の中にはスライド溝２３が設置され、前記スライド溝２３の中にはスライドロッド１９がスライド可能に連結され、前記スライドロッド１９の上端と前記スライド溝２３の上端内壁との間には抵抗撥条２４が連結され、前記スライドロッド１９の下端には当接板２０が設置され、前記開口溝２１の中には前記掛ロッド２５の左右端に位置する対称的な固定軸１８が回転可能に連結され、前記固定軸１８には輪１７が設置され、前記輪１７の前端と前記開口溝２１の前端内壁との間には復帰撥条４６が連結され、前記電力チャンバ１２には前記開口溝２１と相通して連結される左右に対称的な線通し穴４７が設置され、左端の前記線通し穴４７の下端の外側には締付けリング１５が設置され、右端の前記線通し穴４７の下端の外側には前記締付けリング１５と当接したフック２２が設置され、前記輪１７と前記締付けリング１５及び前記フック２２との間にはそれぞれ布１６が連結され、
前記当接板２０によって位置を固定し、前記布１６を引き動かして体に巻き付け、ユーザーが前記フック２２と前記締付けリング１５との当接関係によって設備をユーザーの体に固定する。
【００１７】
初期状態の時、第二電極ロッド２７と第一電極ロッド２８とが当接していなく、回路と接続されている電源が単組であり、輪１７が復帰撥条４６の弾性的な制限を受け、布１６を引き動かして締付けリング１５と、フック２２とを電源箱１１の下端端面にくっつかせ、支持柱３８がスライドレール３３のうち対称中心から離れている側に位置し、屈折板４０を水平に広げて光線を散乱した状態にならせる。
【００１８】
設備を固定する時、当接板２０を固定する場所の表面にくっつかせ、締付けリング１５とフック２２を相互に当接させ、布１６で体に巻き付け、布１６が輪１７を引き動かして回転させ、復帰撥条４６に運動エネルギーを貯蔵させる。
【００１９】
光の強さを調節する時、連結ロッド１４を押し動かして昇降溝１３の中で上に移動させ、第二電極ロッド２７と第一電極ロッド２８とを当接させ、一号電源２９と二号電源２６の二組の電源によって並列接続の回路に形成し、回路内の電流を変える。
【００２０】
照明距離を調節する時、ネジ山盤３１を回し、ネジ山盤３１の上端面における螺旋ラインを通じて平行移動ブロック３２を伝動軸３６に向かって移動させ、平行移動ブロック３２が支持柱３８を通じて遊動輪３９を対称中心に移動させ、遊動輪３９が上に屈折板４０を押し動かして回転軸４２に沿って内方に折らせ、光線を集中して垂直入射にならせる。
【００２１】
本発明の有益効果は：本発明は構造が簡単で、操作が便利で、ベルト式の固定構造によって、屋外で使用する時の携帯に便利を与え、両手を解放して自由に活動でき、光線に対する屈折集中を通じて光源の照明距離を調節し、同時に、一定の電流内で電源を平行接続して光の強さを調節する。
【００２２】
上記の方法を通して、本分野の当業者たちは本発明の範囲内に作動パターンに応じて様々な変化を実現できる。
【図１】
2020177886.tif 000003
【図２】
2020177886.tif 000004
【図３】
2020177886.tif 000005
【図４】
2020177886.tif 000006
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
探検安全ライトであって、電源箱を含み、前記電源箱の頂端端面には上下に伸びている伝動軸が回転可能に連結され、前記伝動軸の上端にはライト座が回転可能に連結され、前記ライト座の上端端面には電球が設置され、前記伝動軸の中には上下に貫通した通しチャンバが設置され、前記通しチャンバの中には前記電球と電気的に連結されたケーブルが設置され、前記伝動軸には集光装置が設置され、前記電源箱の中には前記通しチャンバと相通して連結された電力チャンバが設置され、前記電力チャンバの中には補強装置が設置され、前記電源箱の中には前記電力チャンバの下端に位置し且つ下に開口した開口溝が設置され、前記開口溝の中には固定装置が設置され、 
前記固定装置を使ってライトを体に締め、前記電球によって照明し、光の強さを調節する時、前記補強装置をスライドし、前記電球の電流を調節し、照明距離を調節する時、前記集光装置を回し、散乱した光を集中した光にならせ、
前記集光装置は前記ライト座に設置された中心対称の四つの折返し溝を含み、前記折返し溝の中には回転軸が回転可能に連結され、前記回転軸には屈折板が設置され、前記屈折板と前記折返し溝の内壁との間にはねじりばねが連結され、前記伝動軸には前記ライト座の下端に位置するネジ山盤が設置され、前記伝動軸には前記ネジ山盤の上端に位置するレール板が回転可能に連結され、前記レール板には前記折返し溝と対応し且つ上下に貫通してスライドレールが設置され、前記スライドレールの中には支持柱がスライド可能に連結され、前記支持柱の上端には前記屈折板と当接する遊動輪が設置され、前記支持柱の下端には前記ネジ山盤とネジ山によって連結された平行移動ブロックが設置され、 
前記ネジ山盤を回し、螺旋ラインの案内を通じて前記支持柱を対称中心に移動させ、前記遊動輪を通じて前記屈折板を押し動かし、散乱した光を集中し、
前記補強装置は前記電力チャンバの内壁と固定的に連結された左右に対称的な第一電極ロッドを含み、前記第一電極ロッドには前記ケーブルとの間に連結された電線が設置され、前記第一電極ロッドのうち相互に近接している側には一号電源が設置され、前記電力チャンバの内壁には左右に対称的な昇降溝が相通して設置され、前記昇降溝の中には連結ロッドがスライド可能に連結され、前記連結ロッドの上端には前記第一電極ロッドと当接した左右に対称的な第二電極ロッドが設置され、前記第二電極ロッドのうち相互に近接している側には二号電源が設置され、 
前記連結ロッドを上に移動し、前記第二電極ロッドと前記第一電極ロッドとを当接させ、一組の電源を並列接続して電流を変え、
前記固定装置は前記開口溝の上端端面に設置される掛ロッドを含み、前記掛ロッドの中にはスライド溝が設置され、前記スライド溝の中にはスライドロッドがスライド可能に連結され、前記スライドロッドの上端と前記スライド溝の上端内壁との間には抵抗撥条が連結され、前記スライドロッドの下端には当接板が設置され、前記開口溝の中には前記掛ロッドの左右端に位置する対称的な固定軸が回転可能に連結され、前記固定軸には輪が設置され、前記輪の前端と前記開口溝の前端内壁との間には復帰撥条が連結され、前記電力チャンバには前記開口溝と相通して連結される左右に対称的な線通し穴が設置され、左端の前記線通し穴の下端の外側には締付けリングが設置され、右端の前記線通し穴の下端の外側には前記締付けリングと当接したフックが設置され、前記輪と前記締付けリング及び前記フックとの間にはそれぞれ布が連結され、 
前記当接板によって位置を固定し、前記布を引き動かして体に巻き付け、ユーザーが前記フックと前記締付けリングとの当接関係によって設備をユーザーの体に固定することを特徴とする探検安全ライト。